(57)【要約】【課題】接続信頼性を確保しつつ、小型化を実現することができる入力機能付き表示装置、および携帯端末を提供する。【解決手段】入力機能付き表示装置Ｘ１は、タッチパネル４と、タッチパネル４に設けられており、かつ接続端子４１１ａ，４１１ｂおよび第１導通部４１２ａ，４１２ｂを有した配線電極４１ａ，４１ｂと、接続端子４１１ａ，４１１ｂと第１導電部材７を介して電気的に接続されており、かつタッチパネル４を振動させる振動体６と、タッチパネル４の背面側に配置された液晶表示パネル２と、液晶表示パネル２が収容された第１筐体５と、を備え、液晶表示パネル２には、第２導通部２２ａ，２２ｂが設けられており、第１導通部４１２ａ，４１２ｂと第２導通部２２ａ，２２ｂとは、第２導電部材８を介して電気的に接続されている。【選択図】図２
2013073356.tif 000002
【特許請求の範囲】
【請求項１】
入力部と、
前記入力部に設けられており、かつ接続端子および第１導通部を有した配線電極と、
前記接続端子と第１導電部材を介して電気的に接続されており、かつ前記入力部を振動させる振動体と、
前記入力部の背面側に配置された表示部と、
前記表示部が収容された第１筐体と、を備え、
前記表示部には、第２導通部が設けられており、
前記第１導通部と前記第２導通部とは、第２導電部材を介して電気的に接続されている、入力機能付き表示装置。
【請求項２】
前記表示部は、
第１基板と、
前記第１基板に対向して配置されており、かつ前記第１基板よりも外側に張り出した張り出し部を有した第２基板と、を備え、
前記第２導通部は、前記張り出し部に設けられている、請求項１に記載の入力機能付き表示装置。
【請求項３】
入力部と、
前記入力部に設けられており、かつ接続端子および第１導通部を有した配線電極と、
前記接続端子と第１導電部材を介して電気的に接続されており、かつ前記入力部を振動させる振動体と、
前記入力部の背面側に配置された表示部と、
前記表示部の背面側に配置された回路基板と、
前記表示部および前記回路基板が収容された第１筐体と、を備え、
前記回路基板には、第２導通部が設けられており、
前記第１導通部と前記第２導通部とは、第２導電部材を介して電気的に接続されている、入力機能付き表示装置。
【請求項４】
前記第２導電部材は、異方性導電ゴムである、請求項１〜３のいずれか一項に記載の入力機能付き表示装置。
【請求項５】
前記表示部は、液晶表示パネルまたは有機ＥＬパネルである、請求項１〜４のいずれか一項に記載の入力機能付き表示装置。
【請求項６】
請求項１〜５のいずれか一項に記載の入力機能付き表示装置を第２筐体に備えた携帯端末。
【発明の詳細な説明】
【技術分野】
【０００１】
本発明は、入力機能付き表示装置、および携帯端末に関する。
【背景技術】
【０００２】
近年、タッチパネルのような入力部を備えた入力機能付き表示装置において、使用者がこの入力部を操作した場合に、使用者に対して、押圧感、なぞり感、肌触り感等の様々な触感を伝達する触覚伝達技術が知られている（例えば、特許文献１参照）。このような入力機能付き表示装置は、接続端子および導通部を有した配線電極と、接続端子と電気的に接続された振動体と、を備えている。なお、配線電極は、入力部に設けられている。そして、入力部に設けられた導通部が、導電部材によってフレキシブル基板と電気的に接続される。フレキシブル基板は、表示部が収容された筐体内で折り曲げられ、例えば、表示部の背面側に配置された回路基板と電気的に接続される。
【先行技術文献】
【特許文献】
【０００３】
【特許文献１】特開２００３−１２２５０７号公報
【発明の概要】
【発明が解決しようとする課題】
【０００４】
しかしながら、上記従来の入力機能付き表示装置では、筐体内でフレキシブル基板を折り曲げて回路基板と電気的に接続しているため、筐体内の空間をある程度広く確保する必要があり、大型化する。また、フレキシブル基板を折り曲げて回路基板と電気的に接続しているため、入力部に設けられた導通部とフレキシブル基板との接続信頼性が低下する。
【０００５】
本発明は、上記の問題点に鑑みてなされたものであり、その目的は、接続信頼性を確保しつつ、小型化を実現することができる入力機能付き表示装置、および携帯端末に関する。
【課題を解決するための手段】
【０００６】
本発明の入力機能付き表示装置における一態様は、入力部と、前記入力部に設けられており、かつ接続端子および第１導通部を有した配線電極と、前記接続端子と第１導電部材を介して電気的に接続されており、かつ前記入力部を振動させる振動体と、前記入力部の背面側に配置された表示部と、前記表示部が収容された第１筐体と、を備え、前記表示部には、第２導通部が設けられており、前記第１導通部と前記第２導通部とは、第２導電部材を介して電気的に接続されている。
【０００７】
本発明の携帯端末における一態様は、本発明に係る入力機能付き表示装置を第２筐体に備えた携帯端末。
【発明の効果】
【０００８】
本発明の入力機能付き表示装置、および携帯端末は、接続信頼性を確保しつつ、小型化を実現することができる、という効果を奏する。
【図面の簡単な説明】
【０００９】
【図１】第１の実施形態に係る入力機能付き表示装置の概略構成を示す平面図である。
【図２】図１中に示した切断線Ｉ−Ｉに沿って切断した断面図である。
【図３】振動体の外観の概略構成を示す斜視図である。
【図４】図１のＡ１の部分における、タッチパネルを下面から見た図である。
【図５】図１のＡ１の部分における、液晶表示パネルの下側基板における張り出し部を上面から見た図である。
【図６】入力機能付き表示装置の動作例を示すフローチャートである。
【図７】本実施形態に係る携帯端末の概略構成を示す斜視図である。
【図８】第２の実施形態に係る入力機能付き表示装置の概略構成を示す平面図である。
【図９】図８中に示した切断線ＩＩ−ＩＩに沿って切断した断面図である。
【図１０】図８のＢ１の部分における、回路基板の張り出し部を上面から見た図である。
【図１１】第２の実施形態に係る入力機能付き表示装置の変形例を示す断面図である。
【発明を実施するための形態】
【００１０】
以下、本発明の実施形態について、図面を参照しながら説明する。
【００１１】
但し、以下で参照する各図は、説明の便宜上、本発明の一実施形態の構成部材のうち、本発明を説明するために必要な主要部材を簡略化して示したものである。したがって、本発明に係る入力機能付き表示装置、および携帯端末は、本明細書が参照する各図に示されていない任意の構成部材を備え得る。
【００１２】
[実施の形態１]
図１および図２に示すように、本実施形態に係る入力機能付き表示装置Ｘ１は、液晶表示パネル２、バックライト３、タッチパネル４、第１筐体５、および振動体６を備えている。
【００１３】
液晶表示パネル２は、表示のために液晶組成物を利用した表示パネルである。具体的には、液晶表示パネル２は、上側基板２１と、上側基板２１に対向して配置されており、かつ上側基板２１よりも外側に張り出した張り出し部２２を有した下側基板２３と、上側基板２１と下側基板２２との間に介在した液晶層（図示せず）と、上側基板２１と下側基板２３との間に介在しかつ表示に寄与する表示部材層（図示せず）と、を備えている。なお、表示部材層としては、例えば、画素電極、配向膜、カラーフィルタ等が挙げられる。液晶表示パネル２の駆動方式としては、単純マトリクス駆動方式であってもよいし、アクティブマトリクス駆動方式であってもよい。
【００１４】
なお、液晶表示パネル２の代わりに、プラズマパネル、有機ＥＬパネル、電子ペーパ等の表示パネルを用いてもよい。ここで、有機ＥＬパネルは、電圧を印加すると発光する物質を利用した表示パネルである。具体的には、有機ＥＬパネルは、ジアミン類等の有機物を用いた発光体を基板に蒸着し、５〜１０Ｖの直流電圧を印加することで表示が行われる。なお、液晶表示パネル２の代わりに有機ＥＬパネルを用いた場合には、バックライト３は不要となる。
【００１５】
バックライト３は、液晶表示パネル２の背面側に配置されており、液晶表示パネル２を照射する役割を担う部材である。バックライト３は、光源３１と、導光板３２とを備えている。光源３１は、導光板３２の端面３２ａに向けて光を出射する役割を担う部材であり、例えば、ＬＥＤ（Light Emitting Diode）から構成される。なお、ＬＥＤの代わりに、冷陰極蛍光ランプ、ハロゲンランプ、キセノンランプ、ＥＬ（Electro-Luminescence）であってもよい。導光板３２は、液晶表示パネル２の下面全体にわたって、光源３１からの光を略均一に導くための役割を担う部材である。
【００１６】
タッチパネル４は、使用者が指あるいはペン等で操作した箇所を入力位置として検出する入力デバイスである。タッチパネル４は、液晶表示パネル２の前面側に配置されている。すなわち、液晶表示パネル２は、タッチパネル４の背面側に配置されている。本実施形態では、タッチパネル４は、検出感度向上の観点から、静電容量方式のタッチパネルを用いているが、静電容量方式のタッチパネルに代えて、抵抗膜方式のタッチパネル、表面弾性波方式のタッチパネル、赤外線方式のタッチパネル、あるいは電磁誘導方式のタッチパネル等を用いてもよい。
【００１７】
第１筐体５は、液晶表示パネル２およびバックライト３を収容する役割を担う部材である。第１筐体５は、タッチパネル４の外側領域を、両面テープＴ１を介して保持している。第１筐体５の構成材料としては、例えば、ポリカーボネート等の樹脂、ステンレス、アルミニウム、マグネシウム合金等の金属が挙げられる。
【００１８】
振動体６は、使用者による所定の入力操作を検知した場合に、タッチパネル４を湾曲振動させる役割を担う部材である。具体的には、振動体６は、タッチパネル４の短辺方向に伸縮運動を繰り返すことにより、タッチパネル４の厚み方向（以下、当該方向を「上下方向」と称する）に、タッチパネル４を湾曲振動させる。なお、詳細は後述するように、振動体６は、タッチパネル４への押圧荷重を検出する役割も有している。振動体６は、タッチパネル４の下面４ａに設けられている。なお、タッチパネル４の下面４ａとは、タッチパネル４を構成する基板の下面という意味である。具体的には、タッチパネル４が静電容量方式のタッチパネルである場合、タッチパネル４の下面４ａとは、入力位置を検出するための検出電極が形成された基板の下面を意味する。本実施形態では、振動体６は、例えば、印加される電圧に基づいて伸縮運動を行う圧電素子であるが、これに限定されない。圧電素子の代わりに、電磁式振動体、バネ、モータ等を用いてもよい。
【００１９】
本実施形態では、図１に示すように、振動体６は、タッチパネル４の両方の短辺の近傍に、それぞれの短辺に沿って２つ設けられている。なお、振動体６の配置位置、個数等については、特に限定されない。例えば、振動体６は、タッチパネル４の両方の長辺の近傍に、それぞれの長辺に沿って２つ設けられていてもよいし、タッチパネル４の両方の長辺および短辺の近傍に、それぞれの長辺および短辺に沿って４つ設けられていてもよい。
【００２０】
図３は、振動体６の外観の概略構成を示す斜視図である。図３に示すように、振動体６は、タッチパネル４の下面４ａと向き合う表面６ａに、２つの接続端子６１ａ，６１ｂを有している。接続端子６１ａは、正の電圧が印加される端子であり、接続端子６１ｂは、負の電圧が印加される端子である。また、振動体６の表面６ａから端面６ｂにわたって、接続端子６１ａと電気的に接続される端面電極６１１ａ、および接続端子６１ｂと電気的に接続される端面電極６１１ｂを有している。
【００２１】
また、振動体６は、その内部に、複数の内部電極と複数の活性層（共に図示せず）とが交互に積層されて構成されており、振動体６の表面６ａ近傍に位置する部位には不活性層が設けられている。複数の内部電極のうち偶数番目に位置する内部電極は、端面電極６１１ａと電気的に接続されており、複数の内部電極のうち奇数番目に位置する内部電極は、端面電極６１１ｂと電気的に接続されている。ここで、活性層は、分極処理された圧電材料から構成されている。また、不活性層は、分極処理されていない圧電材料、金属材料、絶縁材料から構成されている。
【００２２】
図４は、図１のＡ１の部分における、タッチパネル４を下面４ａから見た図である。なお、説明の便宜上、振動体６の外観は点線で表している。図４に示すように、タッチパネル４の下面４ａには、２つの配線電極４１ａ，４１ｂが設けられている。配線電極４１ａ
は、一端部に接続端子４１１ａを有しており、この接続端子４１１ａ上に設けられた第１導電部材７によって振動体６の接続端子６１ａと電気的に接続される。また、配線電極４１ｂは、一端部に接続端子４１１ｂを有しており、この接続端子４１１ｂ上に設けられた第１導電部材７によって振動体６の接続端子６１ｂと電気的に接続される。第１導電部材７は、例えば、銀ペースト、異方性導電フィルム、はんだ等である。
【００２３】
また、配線電極４１ａは、他端部に第１導通部４１２ａを有しており、この第１導通部４１２ａ上には、第２導電部材８が設けられている。また、配線電極４１ｂは、他端部に第１導通部４１２ｂを有しており、この第１導通部４１２ｂ上には、第２導電部材８が設けられている。第２導電部材８は、例えば、異方性導電ゴム、メタルフィンガー、銀ペースト、異方性導電フィルム、はんだ等であるが、特に、異方性導電ゴムを用いることが好ましい。この理由については後述する。なお、異方性導電ゴムは、例えば、絶縁性ゴムの厚み方向に複数本のワイヤが並んだ構成を有し、ワイヤが延びる方向に電流が流れる部材である。
【００２４】
また、配線電極４１ａは、接続端子４１１ａと第１導通部４１２ａとを接続する接続電極４１３ａを有している。すなわち、配線電極４１ａは、接続端子４１１ａ、第１導通部４１２ａ、および接続電極４１３ａによって構成される。また、配線電極４１ｂは、接続端子４１１ｂと第１導通部４１２ｂとを接続する接続電極４１３ｂを有している。すなわち、配線電極４１ｂは、接続端子４１１ｂ、第１導通部４１２ｂ、および接続電極４１３ｂによって構成される。
【００２５】
なお、図４では、第１導電部材７が載置し易いように、接続端子４１１ａを平面視して矩形状になしている例について図示したが、これに限定されない。例えば、接続電極４１３ａを図４の紙面上から見て下側に延在させることにより、この延在部分を接続端子４１１ａとしてもよい。なお、これは、接続端子４１１ｂの場合であっても同様である。また、図４では、接続電極４１３ａを図４の紙面上から見て上側に延在させることにより、この延在部分を第１導通部４１２ａとしている例について図示したが、これに限定されない。例えば、図４に示す接続端子４１１ａのように、第２導電部材８が載置し易いように、第１導通部４１２ａを平面視して矩形状に形成してもよい。なお、これは、第２導通部４１２ｂの場合であっても同様である。
【００２６】
図５は、図１のＡ１の部分における、液晶表示パネル２の下側基板２３における張り出し部２２を上面から見た図である。図５に示すように、張り出し部２２には２つの第２導通部２２ａ，２２ｂを有している。第２導通部２２ａ，２２ｂは、図示しない電圧供給部と電気的に接続される。電圧供給部は、電圧を供給する役割を担う部材であり、公知の電源回路を備えている。電圧供給部は、液晶表示パネル２およびタッチパネル４に対しても電圧を供給する機能を有している。
【００２７】
図２，図４，および図５に示すように、第１導通部４１２ａと第２導通部２２ａとは、第２導電部材８を介して電気的に接続されている。また、第１導通部４１２ｂと第２導通部２２ｂとは、第２導電部材８を介して電気的に接続されている。これにより、電圧供給部は、第２導通部２２ａ，２２ｂ、第２導電部材８、第１導通部４１２ａ，４１２ｂ、接続端子４１１ａ，４１１ｂ、第１導電部材７、接続端子６１ａ，６１ｂ、端面電極６１１ａ，６１１ｂを介して、振動体６の内部電極に電圧を印加することが可能となる。
【００２８】
このように、入力機能付き表示装置Ｘ１では、上記従来の入力機能付き表示装置ように、第１導通部４１２ａ，４１２ｂとの電気的な接続にフレキシブル基板を用いる必要がない。フレキシブル基板を用いる必要がないので、第１筐体５内の空間を広く確保する必要がなく、入力機能付き表示装置Ｘ１を小型化にすることができる。また、フレキシブル基
板を用いる必要がないので、フレキシブル基板の折り曲げ等による第１導通部４１２ａ，４１２ｂと第２導通部２２ａ，２２ｂとの接続部分およびフレキシブル基板自体に負荷応力がかからなくなるので、第１導通部４１２ａ，４１２ｂと第２導通部２２ａ，２２ｂとの接続信頼性が向上する。
【００２９】
なお、第１導通部４１２ａ，４１２ｂおよび第２導通部２２ａ，２２ｂの構成材料としては、例えば、アルミニウム、アルミニウム合金、クロムとアルミニウムとを積層したもの、クロムとアルミニウム合金とを積層したもの、銀、銀合金、金合金、ＩＴＯ（Indium
Tin Oxide）等が挙げられるが、中でも、接続信頼性を向上する観点から、ＩＴＯであることが好ましい。
【００３０】
ここで、使用者によってタッチパネル４が押圧された場合、この押圧力は、第２導電部材８を介して液晶表示パネル２へ付与されることになる。ここで、仮に、第２導通部が液晶表示パネルの上側基板に設けられていた場合、この押圧力によって、上側基板が下側基板の方にたわみ、押圧した箇所において液晶分子が変化し、色ムラが生じる可能性がある。しかしながら、本実施形態では、第２導通部２２ａ，２２ｂは、液晶表示パネル２の下側基板２３における張り出し部２２に設けられているので、このような問題は生じない。よって、本実施形態のように、第２導通部２２ａ，２２ｂは、張り出し部２２に設けられていることが好ましい。
【００３１】
なお、第１導通部４１２ａ，４１２ｂと第２導通部２２ａ，２２ｂとの電気的な接続に、第２導電部材８としての異方性導電ゴムを用いると、次の点で好ましい。すなわち、異方性導電ゴムは、柔軟性を有する導電部材であるため、振動体６における、タッチパネル４の短辺方向の伸縮運動を過度に抑制することを低減することができる。このため、タッチパネル４の上下方向の湾曲振動が抑制される可能性を低減することができる。
【００３２】
次に、上記の入力機能付き表示装置Ｘ１の動作について、図６を参照しながら説明する。
【００３３】
なお、以下では、触覚伝達のうち使用者に対して押圧感を伝達する場合の入力機能付き表示装置Ｘ１の動作例について説明するが、入力機能付き表示装置Ｘ１は、押圧感以外の、例えば、なぞり感、肌触り感等の様々な触感を伝達する場合にも適用できることは勿論である。
【００３４】
図６に示すように、使用者が、タッチパネル４を押圧した場合に、振動体６は、タッチパネル４への押圧荷重を検出する（Ｏｐ１）。ここで、振動体６の荷重検出機能について説明する。すなわち、使用者が、タッチパネル４を押圧すると、タッチパネル４が下方向に湾曲する。タッチパネル４が下方向に湾曲すると、振動体６も下方向に湾曲する。つまり、タッチパネル４への押圧荷重に応じて、振動体６の湾曲量が変移する。本実施形態では、振動体６は、圧電素子であるので、湾曲量に応じた電圧に変換することができる。この結果、振動体６によりタッチパネル４の押圧荷重を検出することができる。なお、上記では、荷重検出機能を振動体６で実現している例について説明したが、これに限らず、例えば、歪みセンサ等の荷重センサによって実現してもよい。
【００３５】
そして、図示しない触覚伝達ドライバは、使用者によるタッチパネル４への押圧操作が、表示画面に表示された入力オブジェクトに対する押圧操作である場合に、Ｏｐ１にて検出された押圧荷重が閾値以上であるか否かを判定する（Ｏｐ２）。
【００３６】
そして、触覚伝達ドライバは、Ｏｐ１にて検出された押圧荷重が閾値以上であると判定すれば（Ｏｐ２にてＹＥＳ）、振動体６をタッチパネル４の短辺方向に伸縮運動させる（
Ｏｐ３）。そして、Ｏｐ３にて伸縮運動された振動体６によりタッチパネル４が上下方向に湾曲振動する（Ｏｐ４）。これにより、タッチパネル４を押圧した使用者に対して押圧感が伝達される。一方、触覚伝達ドライバは、Ｏｐ１にて検出された押圧荷重が閾値未満であると判定すれば（Ｏｐ２にてＮＯ）、図６の処理を終了する。
【００３７】
以上より、上記の入力機能付き表示装置Ｘ１は、接続信頼性を確保しつつ、小型化を実現することができる。
【００３８】
次に、入力機能付き表示装置Ｘ１を備えた携帯端末Ｐ１について、図７を参照しながら説明する。
【００３９】
図７に示すように、本実施形態に係る携帯端末Ｐ１は、例えば、携帯電話、スマートフォン、ＰＤＡ等の機器であって、入力機能付き表示装置Ｘ１と、音声入力部１０１と、音声出力部１０２と、キー入力部１０３と、第２筐体１０４とを備えている。
【００４０】
音声入力部１０１は、例えば、マイク等により構成されており、使用者の音声等が入力される。音声出力部１０２は、スピーカ等により構成されており、相手方からの音声等が出力される。キー入力部１０３は、例えば、機械的なキーにより構成される。なお、キー入力部１０３は、表示画面に表示された操作キーであってもよい。第２筐体１０４は、入力機能付き表示装置Ｘ１、音声入力部１０１、音声出力部１０２、およびキー入力部１０３を収容する役割を担う部材である。
【００４１】
他にも、携帯端末Ｐ１は、必要な機能に応じて、デジタルカメラ機能部、ワンセグ放送用チューナ、赤外線通信機能部等の近距離無線通信部、および各種インタフェース等を備える場合もあるが、これらの詳細についての図示および説明は省略する。
【００４２】
携帯端末Ｐ１は、入力機能付き表示装置Ｘ１を備えているので、接続信頼性を確保しつつ、小型化を実現することができる。
【００４３】
なお、上記では、携帯端末Ｐ１に音声入力部１０１を備えている例について説明したが、これに限定されない。すなわち、携帯端末Ｐ１には音声入力部１０１は備えられていなくともよい。
【００４４】
[実施の形態２]
図８は、第２の実施形態に係る入力機能付き表示装置Ｘ２の概略構成を示す平面図である。図９は、図８中に示した切断線ＩＩ−ＩＩに沿って切断した断面図である。なお、図８および図９において、図１および図２と同様の機能を有する構成については、同じ参照符号を付記し、その詳細な説明を省略する。
【００４５】
図９に示すように、入力機能付き表示装置Ｘ２では、入力機能付き表示装置Ｘ１に加えて、バックライト３の背面側に回路基板１０が配置されている。
【００４６】
回路基板１０は、電圧供給部、制御回路、抵抗器、コンデンサ等が実装され、その部品間を配線で接続することで電子回路を構成する板状またはフィルム状の基板である。回路基板１０に設けられた制御回路としては、例えば、タッチパネル４を制御するためのタッチパネルドライバ、バックライト３を制御するためのバックライトドライバ、液晶表示パネル２を制御するための表示ドライバ等が挙げられる。回路基板１０は、液晶表示パネル２およびバックライト３の背面側に配置されている。回路基板１０には、液晶表示パネル２およびバックライト３よりも外側に張り出した張り出し部１１を有している。
【００４７】
図１０は、図８のＢ１の部分における、回路基板１０の張り出し部１１を上面から見た図である。図１０に示すように、張り出し部１１には２つの第２導通部１１ａ，１１ｂを有している。第２導通部１１ａ，１１ｂは、第２導通部２２ａ，２２ｂと同様、図示しない電圧供給部と電気的に接続される。第２導通部２２ａ，２２ｂ上には、第２導電部材８が設けられている。
【００４８】
入力機能付き表示装置Ｘ２では、入力機能付き表示装置Ｘ１と同様、第１導通部４１２ａと第２導通部１１ａとは、第２導電部材８を介して電気的に接続されている。また、第１導通部４１２ｂと第２導通部１１ｂとは、第２導電部材８を介して電気的に接続されている。これにより、電圧供給部は、第２導通部１１ａ，１１ｂ、第２導電部材８、第１導通部４１２ａ，４１２ｂ、接続端子４１１ａ，４１１ｂ、第１導電部材７、接続端子６１ａ，６１ｂ、端面電極６１１ａ，６１１ｂを介して、振動体６の内部電極に電圧を印加することが可能となる。
【００４９】
このように、入力機能付き表示装置Ｘ２では、入力機能付き表示装置Ｘ１と同様、第１導通部４１２ａ，４１２ｂとの電気的な接続にフレキシブル基板を用いる必要がない。フレキシブル基板を用いる必要がないので、第１筐体５内の空間を広く確保する必要がなく、入力機能付き表示装置Ｘ１を小型化にすることができる。また、フレキシブル基板を用いる必要がないので、フレキシブル基板の折り曲げ等による第１導通部４１２ａ，４１２ｂと第２導通部１１ａ，１１ｂとの接続部分およびフレキシブル基板自体に負荷応力がかからなくなるので、第１導通部４１２ａ，４１２ｂと第２導通部１１ａ，１１ｂとの接続信頼性が向上する。
【００５０】
なお、図１１に示すように、回路基板１０は、液晶表示パネル２、バックライト３、および第１筐体５の背面側に配置されていてもよい。図１１に示す例では、第２導通部１１ａ，１１ｂは、接続配線１２を介して、図示しない電圧供給部に電気的に接続されている。このようにしても、上述したのと同様の効果を得られる。
【００５１】
なお、上記では、入力機能付き表示装置Ｘ１を備えた携帯端末Ｐ１の例について説明したが、入力機能付き表示装置Ｘ１に代えて、入力機能付き表示装置Ｘ２を採用してもよい。
【符号の説明】
【００５２】
Ｘ１，Ｘ２  入力機能付き表示装置
Ｐ１  携帯端末
２  液晶表示パネル（表示部）
４  タッチパネル（入力部）
５  第１筐体
６  振動体
７  第１導電部材
８  第２導電部材
１０  回路基板
１１  回路基板の張り出し部
１１ａ  第２導通部
１１ｂ  第２導通部
２１  上側基板（第１基板）
２２  下側基板の張り出し部
２２ａ  第２導通部
２２ｂ  第２導通部
２３  下側基板（第２基板）
４１ａ  配線電極
４１１ａ  配線電極の接続端子
４１２ａ  配線電極の第１導通部
４１ｂ  配線電極
４１１ｂ  配線電極の接続端子
４１２ｂ  配線電極の第１導通部
１０４  第２筐体
【図１】
2013073356.tif 000003
【図２】
2013073356.tif 000004
【図３】
2013073356.tif 000005
【図４】
2013073356.tif 000006
【図５】
2013073356.tif 000007
【図６】
2013073356.tif 000008
【図７】
2013073356.tif 000009
【図８】
2013073356.tif 000010
【図９】
2013073356.tif 000011
【図１０】
2013073356.tif 000012
【図１１】
2013073356.tif 000013